(57)【特許請求の範囲】
【請求項１】
シリンダ（４）と、ドッファ（５）と、ストリッピングローラ（６）と、一対のスクイーズローラ（７，８）と、前記ストリッピングローラ（６）の下方に定置された三角柱状の案内部材（１４）とを備え、前記案内部材（１４）が、繊維進行方向（Ｂ）に見て、前記ストリッピングローラ（６）の中心線から越え出ており、前記案内部材の上面（１４ａ）が前記ストリッピングローラ（６）と向き合っていて、かつ、前記案内部材の一方の端部（１４I）が前記ドッファ（５）と前記ストリッピングローラ（６）との間の区域に配置され、他方の端部（１４II）が前記ストリッピングローラ（６）と前記スクイーズローラ（７，８）との間の区域に配置されていて、前記一対のスクイーズローラ（７，８）間のローラギャップに向けられており、前記案内部材（１４）の前記上面（１４ａ）が少なくとも一部は凹面状に湾曲しており、前記他方の端部（１４II）がエッジ部（１４ｂ）を有しており、前記エッジ部（１４ｂ）が、ほぼ前記スクイーズローラ（７，８）間の前記ローラギャップの位置に配置されていることを特徴とするカード。
【請求項２】
前記案内部材（１４）が鋳造品である、請求項１に記載のカード。
【請求項３】
前記鋳造品の内部が中空である、請求項２に記載のカード。
【請求項４】
前記鋳造品の中空部（１４ｃ）を案内ロッド（１７）やパイプなどが貫通している、請求項３に記載のカード。
【請求項５】
前記案内部材（１４）の一方の側部（１４III）が、カードの一方の機枠（１８ａ）に固定された端末部材（１５）に挿入されて支持されている、請求項１から４のいずれか１項に記載のカード。
【請求項６】
前記端末部材（１５）の内部中空部と前記案内部材（１４）の外套面とが形状係合するように互いに一致している、請求項５に記載のカード。
【請求項７】
前記案内部材（１４）の前記一方の側部（１４III）がストッパに当たっている、請求項６に記載のカード。
【請求項８】
前記案内部材（１４）の他方の側部（１４IV）がカードの他方の機枠（１８ｂ）に固定された端末部材（１６）に貫入されて支持されている、請求項５から７のいずれか１項に記載のカード。
【請求項９】
前記他方の側部を支持する前記端末部材（１６）の内部中空部と前記案内部材（１４）の外套面とが形状係合するように互いに一致している、請求項８に記載のカード。
【請求項１０】
前記他方の側部（１４IV）が前記機枠（１８ｂ）から外方に突き出している、請求項８または９に記載のカード。
【請求項１１】
前記ストリッピングローラ（６）と前記一方の側部を支持する前記端末部材（１５）との距離（ａ）が、前記ストリッピングローラ（６）と前記案内部材（１４）との距離（ｂ）より小さい、請求項５から１０のいずれか１項に記載のカード。
【請求項１２】
前記ストリッピングローラ（６）と前記他方の側部を支持する前記端末部材（１６）との距離（ａ）が、前記ストリッピングローラ（６）と前記案内部材（１４）との距離（ｂ）より小さい、請求項８から１１のいずれか１項に記載のカード。
【請求項１３】
前記一方の側部を支持する前記端末部材（１５）の端面（１５ａ）が、前記ストリッピングローラ（６）の対応する端面（６ａ）から内側に向かってある距離（ｄ）に配置されている、請求項５から１２のいずれか１項に記載のカード。
【請求項１４】
前記他方の側部を支持する前記端末部材（１６）の端面（１６ａ）が、前記ストリッピングローラ（６）の対応する端面（６ｂ）から内側に向かってある距離（ｅ）に配置されている、請求項８から１３のいずれか１項に記載のカード。
【請求項１５】
前記案内部材（１４）が一体式である、請求項１から１４のいずれか１項に記載のカード。
【請求項１６】
上部の前記スクイーズローラ（７）が前記ストリッピングローラ（６）に近接して配置されている、請求項１から１５のいずれか１項に記載のカード。
【請求項１７】
前記案内部材（１４）の前記上面（１４ａ）の曲率半径が前記ストリッピングローラ（６）の半径より大きい、請求項１から１６のいずれか１項に記載のカード。
【発明の詳細な説明】
【０００１】
【産業上の利用分野】
本発明はウエブ案内部材を有するカードに関する。
【０００２】
【従来の技術及び発明が解決しようとする課題】
従来の装置では、ドッファからストリッピングローラの中心線まで定置部材が延びている。ストリッピングローラの中心線と、その後段で上下に配置されたスクイーズローラとの間の区域は、下方に向かって開いている。この箇所でストリッピングローラによって剥ぎ取られた薄いウェブは、スクイーズローラ間のローラギャップまで自由な空間を進む。カードの生産速度を、たとえば３００ｍ／ｍｉｎ以上に高めると、障害箇所がスクイーズローラから逆流する空気として発生する。特にスクイーズローラ間のローラギャップから逆流する空気は、最後には自由に進んでいる繊維ウェブが区域状に吹き戻されるほどに高い逆流速度に達する。上部スクイーズローラはほぼストリッピングローラに接しているので、ストリッピングローラによって運ばれた空気は上部スクイーズローラから跳ね返り、やはり繊維ウェブに作用し得る。薄い繊維ウェブは後方に向けられた空気流によって、一部は下方に押し離され、一部は裂ける。繊維ウェブは一部は下方に垂れ下がる。つまり、高速下で材料の均等な流れが損なわれるのである。
【０００３】
本発明の目的は、上記の短所を回避し、とりわけ高い生産速度下でも、繊維ウェブがストリッピングローラからスクイーズローラに円滑に移行できるようにする、冒頭に記載した種類の装置を提供することである。
【０００４】
【課題を解決するための手段】
本発明では、カードは、シリンダと、ドッファと、ストリッピングローラと、一対のスクイーズローラと、ストリッピングローラの下方に定置された案内部材とを備えている。この案内部材の上面がストリッピングローラと向き合っていて、かつ、この案内部材の一方の端部がドッファとストリッピングローラとの間の区域に配置されている。前記目的を達成するための本発明の特徴点によれば、前記案内部材が支持・案内体として構成されており、他方の端部が前記ストリッピングローラと前記スクイーズローラとの間の区域に配置されていて、一対のスクイーズローラ間のローラギャップに向けられている。前記案内部材の前記上面が少なくとも一部は凹面状に湾曲している。
【０００５】
案内体により上部面が、自由に進む敏感な繊維ウェブを下から支える支持面として提供されている。特に繊維ウェブは有害な逆流空気が作用したときに、下方に逸脱して垂れ下がることができなくなる。このように構成することによって、吹き戻される可能性のあるウェブ区域は上部面によって支えられ、ウェブによってローラギャップに向かって運ばれる。同時に、この上部面は繊維ウェブを的確にローラギャップに向かって案内する。案内部材では、特にストリッピングローラから剥がれた繊維区域および一部剥がされた繊維区域を下から支える支持面が、上部面によって提供されている。同時にこの上部面は、繊維をストリッピングローラとスクイーズローラとの間の空間を的確に通して案内する。
【０００６】
他方の端部が繊維ウェブに対する支持面として構成されていることが好都合である。他方の端部が繊維ウェブに対する案内面を有することが好ましい。案内部材がアルミニウムなどの連続鋳造品であることが得策である。連続鋳造品の内部が中空であることが有利である。中空部を案内ロッドが貫通していることが好都合である。案内部材の一方の側部が、カードの一方の機枠に固定された端末部材に挿入可能に支持されていることが好ましい。端末部材の内部中空部と案内部材の外套面とが形状係合するように互いに一致していることが得策である。案内部材の一方の側部がストッパに当たっていることが有利である。案内部材の他方の側部が、他方の機枠に固定された端末部材（案内プロフィル）に貫入可能に支持されていることが好都合である。端末部材の内部中空部と案内部材の外套面とが形状係合するように互いに一致していることが好ましい。他方の側部が、貫入可能な端末部材から外方に突き出していることが得策である。ストリッピングローラと端末部材との距離が、ストリッピングローラの針布と案内部材との距離より小さいことが有利である。ストリッピングローラの針布と端末部材との距離が、ストリッピングローラと案内部材との距離より小さいことが好都合である。端末部材の端面が、ストリッピングローラの対応する端面から内側に向かってある距離に配置されていることが好ましい。端末部材の端面が、ストリッピングローラの対応する端面から内側に向かってある距離に配置されていることが好都合である。案内部材が一体式に形成されていることが有利である。案内部材が、繊維進行方向に見て、ストリッピングローラの中心線から越え出ていることが好都合である。他方の端部がエッジ部を有することが好ましい。エッジ部が、ほぼスクイーズローラ間のローラギャップの位置に配置されていることが得策である。上部スクイーズローラがストリッピングローラにほぼ接して配置されていることが好都合である。上面の曲率半径がストリッピングローラの半径より大きいことが好ましい。
【０００７】
【実施例】
以下に、本発明の実施例を図面に基づいて詳細に説明する。
図１に、フィードローラ１、フィードテーブル２、テーカイン３、シリンダ４、ドッファ５、ストリッピングシリンダ６、スクイーズローラ７，８、ウェブ案内部材９、ウェブファンネル１０、デリベリローラ１１、１２および回転式フラット１３を具備するカード、たとえばトゥリュッチュラー社製ＥＸＡＣＴＡＣＡＲＤ  ＤＫ７６０を示す。ストリッピングローラ６の下方に、本発明の支持部材１４が配置されている。上部スクイーズローラ７は、ストリッピングローラ６にほぼ接して配置されている。シリンダやローラの回転方向は、それぞれ湾曲した矢印によって示されている。
【０００８】
図２は、案内部材１４が概ね三角形の断面を有していることを示している。案内部材１４は、一方の側部１４IIIが、端末部材１５に挿入可能に支持されている（図４参照）。上部面１４ａはやや凹面状に湾曲している。面１４ａの湾曲の曲率半径は、ストリッピングローラ６の半径より大きい。矢印Ｂは、繊維ウェブ（図示せず）の進行方向を表している。前部端部１４IIはエッジ部１４ｂを有し、後部端部１４Iは丸みを帯びている。エッジ部１４ｂは、糖液などの不純物が沈殿するのを防ぐ。面１４ａは、その上を滑るウェブによって夾雑物などが除去される。案内部材１４の断面形状は、ドッファおよびストリッピングローラとスクイーズローラ７，８との間の区域の空気流状況に適合している。
【０００９】
図３において、案内部材１４の上部面１４ａは、ストリッピングローラ６の針布６Iに向いている。案内部材１４の他方の端部１４Iはドッファ５とストリッピングローラ６との間のローラギャップまで延びている。他方の端部１４IIは、ストリッピングローラ６とスクイーズローラ７，８との間の区域に配置されており、エッジ部１４ｂはスクイーズローラ７，８間のローラギャップの方に向けられている。案内部材１４はアルミニウムなどの連続鋳造品であり、固定用案内ロッド１７が貫通した内部中空部１４ｃを備えている。
【００１０】
案内部材１４の側部１４IIIは、カードの機枠１８ａに固定された端末部材１５に挿入可能に支持されている。端末部材１５の内部中空部と案内部材１４の外套面とが形状係合するように互いに一致している。側部１４IIIの端面は機枠１８ａの内面に接している。案内部材１４の他方の側部１４IVは、カードの他方の機枠１８ｂに固定された端末部材１６（案内プロフィル）に貫入可能に支持されている。端末部材１６の内部中空部と案内部材１４の外套面とは、形状係合するように互いに一致しているので、案内部材１４は運転中、不動に支持されている。案内部材はねじ（図示せず）によって動かないように固定されている。側部１４IVが機枠１８ｂから距離ｃだけ突き出していることによって、交換の際の握りが形成されている。ストリッピングローラ６と端末部材１５との距離ａが、ストリッピングローラ６と案内部材１４の面１４ａとの距離ｂより小さい。対応する仕方で、ストリッピングローラ６と端末部材１６との距離は、ストリッピングローラ６と案内部材の面１４ａとの距離より小さい。端末部材１５の端面１５ａが、ストリッピングローラ６の対応する端面６ａから内側に向かってある距離ｄに配置されている。これに対応して、端末部材１６の端面１６ａが、ストリッピングローラ６の対応する端面６ｂから内側に向かってある距離ｅに配置されている。このような仕方で、距離ａの区域に非常に狭い隙間が生じるので、針布６Iなしで形成されているこの箇所に塵芥や夾雑物や短繊維などがこびりつくことはない。案内部材１４は、図４では中断して示されているが、一体式に形成されている。
【００１１】
案内部材１４は、繊維ウェブに対する支持・案内体として構成されている。端部１４IIは、繊維ウェブの支持面として構成されている。さらに、面１４ａは端部１４IIでウェブに対する案内面として用いられる。端部１４Iもしくは１４IIは、繊維進行方向Ｂに見て、ストリッピングローラ６の垂直中心線（直線）を基準としてそれぞれ異なる側にある。
【図面の簡単な説明】
【図１】図１は、本発明の装置（支持部材）を具備したカードの概念的な側面図である。
【図２】図２は、カードの一方の側で端末部材に支持されている支持部材の断面図である。
【図３】図３は、カードの他方の側で端末部材（案内プロフィル）に支持されている支持部材の断面図である。
【図４】図４は、組み立てた状態における本発明の装置の、図３に従うＡ−Ａで切断した断面図である。
【符号の説明】
１…フィードローラ
２…フィードテーブル
３…テーカイン
４…シリンダ
５…ドッファストリッピングシリンダ
６…ストリッピングローラ
６ａ…ストリッピングローラの端面
７，８…スクイーズローラ
９…ウェブ案内部材
１０…ウェブファンネル
１１，１２…デリベリローラ
１３…回転式フラット
１４…案内部材
１４′、１４″，１４III ，１４IV…案内部材の端部
１４ａ…案内部材の案内面
１４ｂ…案内部材のエッジ部
１４ｃ…案内部材の中空部
１５，１６…端末部材
１５ａ，１６ａ…端末部材の端面
１７…案内ロッド
１８ａ，１８ｂ…機枠
Ａ…繊維進行方向
ａ，ｂ…距離
【図１】
0003828168.tif 000002
【図２】
0003828168.tif 000003
【図３】
0003828168.tif 000004
【図４】
0003828168.tif 000005